(57)【要約】【課題】内視鏡の管路が適切に洗浄消毒されていることを確実に確認することができる内視鏡洗浄消毒装置を提供する。【解決手段】洗浄槽１３には、内視鏡２００の内部に配設された各チャンネル（管路）からの流出状態を表示する表示ユニット３０８〜３０９が設けられている。表示ユニット３０８〜３０９は、流体の圧力を受けて回転する羽根車と、羽根車を視認可能な状態で収容する本体部を有する。表示ユニット３０８には、送気・送水チャンネル及び鉗子チャンネルの下流端が配設される先端部２０１ａが接続される。表示ユニット３０９、３１０には、送気・送水チャンネルのもう一方の下流端、吸引チャンネルの下流端のそれぞれが配設される送気コネクタ２０８と吸引コネクタ２１０が接続される。各表示ユニット３０８〜３０９は、下流端から流出する流体の圧力を受けて羽根車が回転する。【選択図】図３
2011206158.tif 000002
【特許請求の範囲】
【請求項１】
内部に管路が配設された内視鏡を収容する洗浄槽と、
前記洗浄槽に設けられ、前記管路に接続されて流体を供給する流体供給ポートと、
前記管路を通過して前記管路の下流端から流出する前記流体の流出状態を表示する第１表示手段とを備えていることを特徴とする内視鏡洗浄消毒装置。
【請求項２】
さらに、前記流体供給ポートから前記管路への前記流体の供給状態を表示する第２表示手段を備えていることを特徴とする請求項１記載の内視鏡洗浄消毒装置。
【請求項３】
前記第１表示手段は、前記洗浄槽に配置されており、
前記下流端から流出する流体の圧力によって変位する第１変位体と、
前記第１変位体を視認可能に収容する第１収容部とを有することを特徴とする請求項１又は２に記載の内視鏡洗浄消毒装置。
【請求項４】
前記第１表示手段は、前記洗浄槽に着脱自在に設けられていることを特徴とする請求項３記載の内視鏡洗浄消毒装置。
【請求項５】
前記第２表示手段は、前記流体の圧力によって変位する第２変位体と、
前記第２変位体を視認可能に収容する第２収容部とを有することを特徴とする請求項１〜４のいずれか１項に記載の内視鏡洗浄消毒装置。
【請求項６】
前記第１変位体及び前記第２変位体の少なくとも一方は、複数の色が付されていることを特徴とする請求項３〜５のいずれか１項に記載の内視鏡洗浄消毒装置。
【請求項７】
前記第１変位体及び前記第２変位体の少なくとも一方は、複数の羽根を有し、前記羽根で前記流体の圧力を受けて回転する羽根車であることを特徴とする請求項３〜６のいずれか１項に記載の内視鏡洗浄消毒装置。
【請求項８】
前記複数の羽根の少なくとも２枚は、色が異なることを特徴とする請求項７記載の内視鏡洗浄消毒装置。
【請求項９】
前記羽根車は、回転軸に対して流体の流れる方向が直交する接線流式羽根車であることを特徴とする請求項７又は８記載の内視鏡洗浄消毒装置。
【請求項１０】
前記第１変位体及び前記第２変位体の少なくとも一方は、前記流体の圧力によってなびく複数の条体を有する吹き流し形態であることを特徴とする請求項３〜６のいずれか１項に記載の内視鏡洗浄消毒装置。
【請求項１１】
前記ポートと前記管路を接続し、前記ポートとともに前記管路への前記供給路を構成する接続手段を有しており、
前記第２表示手段は、前記ポート又は前記接続手段に設けられていることを特徴とする請求項２〜１０のいずれか１項に記載の内視鏡洗浄消毒装置。
【発明の詳細な説明】
【技術分野】
【０００１】
本発明は、内視鏡を洗浄消毒する内視鏡洗浄消毒装置に関するものである。
【背景技術】
【０００２】
使用済みの内視鏡を洗浄及び消毒する内視鏡洗浄消毒装置（以下、洗浄消毒装置という）が知られている（特許文献１及び特許文献２参照）。洗浄消毒装置は、洗浄槽に収容された内視鏡に対して、洗浄工程、消毒工程、すすぎ工程等からなる洗浄消毒処理を自動的に行う。内視鏡の外表面は、洗浄槽に貯留される洗浄液や消毒液によって洗浄消毒される。
【０００３】
洗浄槽には、チャンネル洗浄ポートが設けられており、内視鏡の内部に配設された送気・送水チャンネルや鉗子チャンネルなどの各チャンネル（管路）は、チャンネル洗浄ポートから供給される空気や液体などの流体によって洗浄消毒される。チャンネル洗浄ポートは、接続チューブを介して各チャンネルの一端と接続され、チャンネル洗浄ポートからチャンネルに流入した流体は、各チャンネルの下流端が配設される内視鏡の端部から流出して、洗浄槽に排出される。
【０００４】
チャンネル洗浄ポートに流体を供給するポンプの故障や、ポンプからチャンネル洗浄ポートへ流体を供給する配管に異物が詰まると、チャンネルに流体が供給されない。特許文献１の洗浄消毒装置では、チャンネル洗浄ポートの上流側の配管を流れる流体の流量を検出する流量センサを配置し、流量センサによってチャンネル洗浄ポートへの流体の供給状態を検出している。
【０００５】
特許文献２の洗浄消毒装置では、チャンネル洗浄ポートを構成するノズルにチャンネルへの供給路から分岐する小孔を形成し、小孔から流体の一部を噴出させることで、流体の供給状態を視覚的に表示している。また、特許文献２には、供給路に流体の圧力によって回転する羽根車を配置し、羽根車の回転により流体の供給状態を視覚的に表示する技術も記載されている。特許文献２の方法によれば、流量センサが不要となるため、流体の供給状態を簡便な構成で表示することができる。
【先行技術文献】
【特許文献】
【０００６】
【特許文献１】特開２０１０−０１１９７７号公報
【特許文献２】特開２００６−２９６８５７号公報
【発明の概要】
【発明が解決しようとする課題】
【０００７】
しかしながら、従来技術は、チャンネルの洗浄及び消毒が適切に行われていることを確認する技術としては不十分であった。というのは、従来技術は、流量センサや羽根車をチャンネルの上流側に配置し、チャンネル洗浄ポートから内視鏡のチャンネルに向けて流体が供給されていることは確認できるものの、流体が確実にチャンネルに流入しているか、あるいは、流体がチャンネルを通過してチャンネルの下流端まで到達しているかを確認することはできない。
【０００８】
例えば、チャンネル洗浄ポートと内視鏡は接続チューブを介して接続されるが、接続チューブの接続が不適切だと、チャンネルに流体が供給されない場合がある。また、チャンネルの途中に亀裂や損傷が生じていたり、チャンネル内部に異物が詰まっていると、チャンネルに流体が流入してもチャンネルの下流端まで到達しない。従来技術では、チャンネル洗浄ポートからチャンネルに向けて流体が供給されていることは確認できても、接続チューブからチャンネルに流体が供給されているか否か、あるいは、チャンネルの下流端まで流体が到達しているかを確認することはできない。
【０００９】
特許文献１や特許文献２には、こうした問題や対策について記載や示唆もなく、一切考慮されていない。
【００１０】
本発明は、こうした背景に鑑みてなされたもので、その目的は、内視鏡のチャンネルが適切に洗浄消毒されていることを確実に確認することが可能な内視鏡洗浄消毒装置を提供することを目的とする。
【課題を解決するための手段】
【００１１】
本発明の内視鏡洗浄消毒装置は、内部に管路が配設された内視鏡を収容する洗浄槽と、前記洗浄槽に設けられ、前記管路に接続されて流体を供給する流体供給ポートと、前記管路を通過して前記管路の下流端から流出する前記流体の流出状態を表示する第１表示手段とを備えていることを特徴とする。
【００１２】
さらに、前記流体供給ポートから前記管路への前記流体の供給状態を表示する第２表示手段を備えていることが好ましい。
【００１３】
第１表示手段は、前記洗浄槽に配置されており、前記下流端から流出する流体の圧力によって変位する第１変位体と、前記第１変位体を視認可能に収容する第１収容部とからなることが好ましい。前記第１表示手段は、前記洗浄槽に着脱自在に設けられていることが好ましい。
【００１４】
第２表示手段は、前記流体の圧力によって変位する第２変位体と、前記第２変位体を視認可能に収容する第２収容部とを有することが好ましい。
【００１５】
前記第１変位体及び前記第２変位体の少なくとも一方は、複数の色が付されていることが好ましい。
【００１６】
前記第１変位体及び前記第２変位体の少なくとも一方は、例えば、複数の羽根を有し、前記羽根で前記流体の圧力を受けて回転する羽根車である。羽根の少なくとも２枚は、色が異なることが好ましい。羽根車は、例えば、回転軸に対して流体の流れる方向が直交する接線流式羽根車である。
【００１７】
前記第１変位体及び第２変位体の少なくとも一方は、前記流体の圧力によってなびく複数の条体を有する吹き流し形態でもよい。
【００１８】
前記ポートと前記管路を接続し、前記ポートとともに前記管路への前記供給路を構成する接続手段を有しており、前記第２表示手段は、前記ポート又は前記接続手段に設けられていることが好ましい。
【発明の効果】
【００１９】
本発明は、流体供給ポートから内視鏡の管路へ供給され、管路を通過して前記管路の下流端から流出する流体の流出状態を表示する表示手段を設けたから、内視鏡の管路が適切に洗浄消毒されていることを確実に確認することができる。
【図面の簡単な説明】
【００２０】
【図１】本発明の洗浄消毒装置の外観図である。
【図２】トップカバーを開けた状態の洗浄消毒装置の外観図である。
【図３】洗浄槽に内視鏡を収容した状態を示す説明図である。
【図４】内視鏡の内部に配設されたチャンネルの構成図である。
【図５】表示ユニットの斜視図である。
【図６】表示ユニットの断面図である。
【図７】配管系統を示す説明図である。
【図８】洗浄消毒処理手順を示すフローチャートである。
【図９】洗浄工程の処理手順を示すフローチャートである。
【図１０】すすぎ工程の処理手順を示すフローチャートである。
【図１１】消毒後のすすぎ工程の処理手順を示すフローチャートである。
【図１２】軸流式羽根車の斜視図である。
【図１３】吹き流し形態の表示ユニットの説明図である。
【発明を実施するための形態】
【００２１】
図１及び図２に示すように、内視鏡洗浄消毒装置（以下、洗浄消毒装置と呼ぶ）１０は、箱状の装置本体１１を備えている。装置本体１１の上部には、使用後の内視鏡２００を収容し、洗浄液や消毒液が供給される洗浄槽１３が設けられている。洗浄槽１３は、上部が開放された水槽であり、例えばステンレス等の耐熱性、耐蝕性等に優れた金属材料で形成されている。装置本体１１には、洗浄槽１３の開口部１３ａを覆う蓋として機能するトップカバー１６が設けられている。
【００２２】
装置本体１１は、シャーシ（図示せず）を有しており、シャーシには、洗浄槽１３やトップカバー１６の他、洗浄消毒処理を行うための洗浄消毒機構（図７参照）が設けられている。洗浄消毒機構は、洗浄液や消毒液を洗浄槽１３に供給するための配管、ポンプ、電磁弁、さらに、洗剤や消毒液を貯留するタンクなどからなる。シャーシの外周は、前面パネル１７、側面パネル１８、上部パネル１９からなる外装部材によって覆われている。
【００２３】
装置本体１１の前面パネル１７は、側端部がヒンジを介してシャーシに取り付けられており、開閉自在となっている。前面パネル１７内には、図示しない収納トレイが設けられている。収納トレイには、洗剤タンク８３（図７参照）及びアルコールタンク８６（図７参照）が収納されている。洗剤タンク８３には、内視鏡２００の洗浄に使用される洗剤が貯えられている。アルコールタンク８６には、内視鏡２００の洗浄、消毒後に、内部に配設された各チャンネル内に流されるアルコールが貯えられている。前面パネル１７には、各タンク内の液体の残量視認用の透明窓３３が取り付けられている。
【００２４】
また、収納トレイには、消毒液（例えば、過酢酸、グルタールアルデヒド（ＧＡ）、オルトフタルアルデヒド（ＯＰＡ）など）の濃縮液を貯えた供給ボトルが交換可能に収納される。供給ボトルは、シャーシに備え付けられた消毒液タンク８４（図７参照）に接続され、濃縮液を消毒液タンク８４内に供給する。濃縮液は、消毒液タンク内において水によって適正な濃度に希釈されて使用される。
【００２５】
符号３４は、洗浄履歴情報が印字されたプリントを排出する排紙口であり、排紙口３４の奥には、プリンタ（図示せず）が配置されている。洗浄履歴情報は、例えば、洗浄を実施した日時、洗浄担当者名、洗浄した内視鏡２００のＩＤなどの情報である。洗浄履歴情報が印字されたプリントは、内視鏡２００の洗浄消毒結果の確認、管理等に用いられる。
【００２６】
上部パネル１９の前端部には、操作パネル３６が設けられている。操作パネル３６には、各種の操作指示を入力するための操作ボタン３７、各種表示を行うディスプレイ３８、及び読み取り部３９が設けられている。操作ボタン３７は、例えば、洗浄、消毒の開始を指示するスタートボタン、緊急停止を指示するためのストップボタン、ディスプレイ３８に表示される操作画面を操作するための操作キーからなる。
【００２７】
ディスプレイ３８は、例えば液晶ディスプレイ（ＬＣＤ）であり、洗浄プログラムを選択する選択画面や各種設定を行うための設定画面を含む操作画面を表示する他、洗浄・消毒処理の進捗状況や残り時間、トラブル発生時の警告メッセージ等を表示する。洗浄プログラムは、例えば、洗浄、消毒、すすぎの各工程を、どのような順序でそれぞれどの程度の時間実行するかといった洗浄処理の内容を規定する。洗浄プログラムは、洗浄、すすぎ、消毒、すすぎ、乾燥という順序で各工程を実行する標準的な洗浄プログラムの他、各工程を単独で実行する洗浄プログラムや、標準的な洗浄プログラムにおいて、洗浄時間や消毒時間が異なる複数の洗浄プログラムが用意されている。
【００２８】
読み取り部３９は、その内部にタグリーダ（図示せず）が配置されている。タグリーダは、内視鏡２００に設けられたＲＦＩＤタグや、洗浄担当者のネームプレートに設けられたＲＦＩＤタグと非接触で通信してＲＦＩＤタグ内の情報（内視鏡２００のＩＤや洗浄担当者名など）を読み取る。
【００２９】
上部パネル１９は、洗浄槽１３の開口部１３ａを露出する開口１９ａが形成された枠形状をしている。洗浄槽１３の開口部１３ａの上端には、洗浄槽１３の垂直に立ち上がる側面と直交し、水平方向に延設された周縁部１３ｄが形成されている。周縁部１３ｄと上部パネル１９は、両者の境界から気体や液体が漏れる隙間が生じないように接合されている。上部パネル１９の開口１９ａの内縁には、液体が重力の作用によって洗浄槽１３に向かって流れるように、洗浄槽１３の開口部１３ａに向かって傾斜した斜面１９ｂが形成されている。
【００３０】
トップカバー１６は、例えば、プラスチックで形成された略矩形状の板状体で形成されたカバー本体４１と、カバー本体４１の洗浄槽１３と対面する下面側の外周部に取り付けられたパッキン４２とからなる。トップカバー１６は、カバー本体４１の後方から突出した取り付け部４３（図１参照）において装置本体１１に取り付けられており、取り付け部４３を支点として、洗浄槽１３の開口部１３ａを覆って閉じる閉じ位置と開口部１３ａを開放して露出させる開き位置との間で回動する。
【００３１】
トップカバー１６は、モータによって電動で開閉される。開閉の操作指示は、フットペダル４４の踏み込み操作によって入力される。フットペダル４４は、前面パネル１７の下方に配置されている。トップカバー１６が閉じているときにフットペダル４４を踏み込むとトップカバー１６が開き、開いているときに踏み込むと閉じる。
【００３２】
トップカバー１６の上面は、清掃がしやすいように、細かな凹凸の無い緩やかな曲面で構成されている。トップカバー１６の下面である天井は、天井洗浄ノズル２３から噴射された液体が、天井洗浄ノズル２３と対向する部分から周縁部までの天井の全面に行き渡るように、断面が、天井洗浄ノズル２３との対向部分を頂点として、上方に向かって凸型の緩やかな円弧状に形成されている。また、トップカバー１６の天井には、前方部分にネット４６が設けられている。ネット４６は、トップカバー１６が閉じたときに、洗浄槽１３の底面に配置されたネット２１と対向する位置に配置されている。ネット４６は、洗浄槽１３に収容された内視鏡２００を上方から押さえつけて、内視鏡２００を液面下に沈める。
【００３３】
カバー本体４１は、洗浄槽１３内の様子を外部から視認できるように、例えば、透明又は半透明のプラスチック材料で形成される。パッキン４２は、ゴムなどの弾性材料で形成されており、洗浄槽１３の開口部１３ａを気密及び水密に密閉する。パッキン４２は、洗浄槽１３の周縁部１３ｄ及び上部パネル１９の開口１９ａの内側面と圧接して、洗浄槽１３に供給された液体が外部に飛散すること、さらに、消毒液の臭気が外部に漏れることを防止する。
【００３４】
トップカバー１６の後方部分には、洗浄槽１３の内部と外部を連通する通気路４８（図１参照）が設けられている。洗浄槽１３の開口部１３ａは、パッキン４２によって密閉される。このため、トップカバー１６が閉じられている状態において、洗浄槽１３の液体が廃液口２６や循環口３１から排出されるときには、通気路４８を通じて、外部から洗浄槽１３内に外気が取り入れられる。
【００３５】
また、トップカバー１６が閉じ位置から開き位置への回動を開始する回動初期においては、パッキン４２によって開口部１３ａが密閉されているので、その状態でトップカバー１６が開き方向に回動すると、洗浄槽１３内が負圧になる。パッキン４２による開口部１３ａの密閉が解除されるまでの間、通気路４８を通じて外部から洗浄槽１３に外気が取り入れられる。これにより、洗浄槽１３の内外の気圧差が解消されて、トップカバー１６が開き方向に回動することができる。
【００３６】
トップカバー１６の上面には、消臭フイルタ４９が交換可能に装着されるフイルタ装着部５１が形成されている。フイルタ装着部５１には、通気路４８を構成するスリット５１ａが形成されている。消臭フイルタ４９は、上方からスリット５１ａを覆うようにフイルタ装着部５１に装着され、通気路４８内に配置される。消臭フイルタ４９は、通気路４８を通じて洗浄槽１３内から外部に排出される気体の臭気を消臭する。
【００３７】
フイルタ装着部５１には、消臭フイルタ４９を覆うフイルタカバー５２が開閉自在に設けられている。フイルタカバー５２には、スリット５２ａが形成されており、スリット５２ａは、スリット５１ａとともに通気路４８を構成する。スリット５１ａは、断面がクランク状に屈曲して形成されており、洗浄槽１３内の液体がスリット５１ａを通じて消臭フイルタ４９に飛散することを防止している。
【００３８】
洗浄槽１３の内周形状は、上方から見ると、前方部分が略円形で、後方部分が略方形をしている（図３参照）。前方部分の底面には、内視鏡２００が載置される略円形のネット２１が配置されている。ネット２１は、内視鏡２００と底面との間に液体が流れ込む隙間を作り、洗浄槽１３に供給される液体が、内視鏡２００の外表面に接触する面積を増加させる。ネット２１の中央には、内視鏡２００から取り外された、送気・送水ボタンや吸引ボタンなどの小物部品を収容する小物洗浄かご２２が配置されている。
【００３９】
図３に示すように、内視鏡２００は、被検体内に挿入される長尺の挿入部２０１及びユニバーサルコード２０２が巻き回された状態で、小物洗浄かご２２の周囲を取り囲むようにして、ネット２１上に載置される。挿入部２０１やユニバーサルコード２０２は、それぞれ操作部２０３に基端側が連設されている。挿入部２０１には、送気・送水を行うための送気・送水チャンネル２１４（図４参照）、鉗子などの処置具を挿通するための鉗子チャンネル２１６（図４参照）、観察の障害となる体液や汚物等を吸引する吸引チャンネル２１７（図４参照）が配設されている。
【００４０】
ユニバーサルコード２０２は、内視鏡２００から受信する撮像信号を処理するプロセッサや、内視鏡２００に内挿されたライトガイドに照明光を入力する光源装置に接続されるコードである。ユニバーサルコード２０２の一端には、プロセッサに接続するコネクタ２０４や、光源装置に接続するためのコネクタ２０６が設けられている。プロセッサに接続されるコネクタ２０４には、電気的な導通を得るための接点部が設けられているため、洗浄の際には、防水キャップが取り付けられる。
【００４１】
光源装置に接続されるコネクタ２０６の端面からは、ライトガイド２０７と送気コネクタ２０８の端部が一部突出して露呈されている。送気コネクタ２０８は、挿入部２０１及びユニバーサルコード２０２の内部に配設された送気・送水チャンネル２１４（図４参照）に連通している。光源装置には、送気ポンプから供給される圧縮空気の供給口が設けられており、コネクタ２０６が接続されると、送気コネクタ２０８の端部と供給口が接続される。コネクタ２０６の側面には、送水コネクタ２０９、吸引コネクタ２１０、気密試験用の口金２１１、Ｓ端子２１２が設けられている。
【００４２】
送水コネクタ２０９は、送水タンクに接続するためのコネクタであり、送気・送水チャンネル２１４（図４参照）に連通している。吸引コネクタ２１０は、吸引タンクへ接続するためのコネクタであり、吸引チャンネル２１７（図４参照）に連通している。気密試験用の口金２１１は、気密試験用ポート２８と接続するための口金である。Ｓ端子２１２は、電気メスを接続するための端子である。
【００４３】
小物洗浄かご２２の近傍には、天井洗浄ノズル２３、小物洗浄ノズル６１、温度センサ５７が配置されている。天井洗浄ノズル２３は、上方に位置するトップカバー１６の内面（天井）に向けて洗浄液や水を噴射して、天井を洗浄する。小物洗浄ノズル６１は、小物洗浄かご２２に収容された小物部品に向けて洗浄液や水を噴射して小物部品を洗浄する。温度センサ５７は、洗浄槽１３内に貯えられた液体の温度を測定する。
【００４４】
洗浄槽１３の後方部分には、底面に、廃液口２６が設けられており、側面には、水位センサ２７が設けられている。廃液口２６は、洗浄槽１３から、使用済みの洗浄液や消毒液、及びすすぎに使用した水を排出する。水位センサ２７は、例えば、液面に応じてフロートが上下動するフロートスイッチ式のレベルセンサであり、洗浄槽１３内に貯えられた液体の液面の位置（水位）を検出する。水位センサ２７としては、洗浄や消毒に適した液量に応じた適正水位と、適正水位よりも高く、貯留された液体のオーバーフローを検知するためのオーバーフロー水位といった複数の水位を検出可能なセンサが使用される。
【００４５】
洗浄槽１３の後方部分には、洗浄槽１３の底面よりも一段高いテラス部１３ｂ、１３ｃが設けられている。各テラス部１３ｂ、１３ｃは、後方部分の２つの角にそれぞれ設けられており、上方から見ると、略三角形状をしている。一方のテラス部１３ｂには、気密試験用ポート２８が設けられている。気密試験用ポート２８は、内視鏡２００の挿入部２０１及びユニバーサルコード２０２の外皮と内蔵物の隙間に圧縮空気を送り込み、外皮に液体が進入する小さな孔や亀裂が生じていないかを試験するためのポートである。気密試験用ポート２８は、図示しないチューブを介して、コネクタ２０６に設けられた気密試験用の口金２１１と接続される。気密試験は、洗浄消毒処理を開始する前に行われる。
【００４６】
また、テラス部１３ｂには、内視鏡２００の洗浄、消毒に用いる液体を洗浄槽１３内に供給する液体供給ポートが設けられている。液体供給ポートは、洗浄槽１３内に向けて屈曲された給水ノズル２９ａ、消毒液供給ノズル２９ｂ、洗剤供給ノズル２９ｃからなる。これらのノズル２９ａ〜２９ｃは、洗浄槽１３内に貯えられる液体の液面よりも高い位置に配置されている。
【００４７】
給水ノズル２９ａは、洗浄槽１３内に水を供給し、洗剤供給ノズル２９ｃは、洗剤タンク内に貯えられている洗剤を洗浄槽１３内に供給する。使用後の内視鏡２００に付着している体液や汚物は、水と洗剤とが混合された洗浄液により洗い流される。消毒液供給ノズル２９ｂは、消毒液タンク内に貯えられている消毒液を洗浄槽１３内に供給する。洗浄液で洗い流されなかった病原菌やウイルスは、消毒液により除去され、または病原性が消失される。
【００４８】
テラス部１３ｂの側面には、洗浄槽１３内に貯留された液体を循環させて、洗浄槽１３内の液体に水流を生じさせるための循環口３１が設けられている。循環口３１は、洗浄槽１３内の液体を、洗浄槽１３の下方に配置された循環用の配管に吸引する。給水ノズル２９ａ、天井洗浄ノズル２３、小物洗浄ノズル６１は、循環用のノズルとしても使用され、循環口３１から循環用の配管に吸引された液体は、各ノズル２９ａ、２３、６１から洗浄槽１３に再供給される。
【００４９】
テラス部１３ｃには、送気・送水チャンネル２１４、鉗子チャンネル２１６及び吸引チャンネル２１７（図４参照）内の洗浄、消毒に用いられるチャンネル洗浄ポート３２が設けられている。チャンネル洗浄ポート３２は、内視鏡２００のチャンネル２１４、２１６、２１７に対して、洗浄液、消毒液、アルコール、圧縮空気といった流体を供給する流体供給ポートである。チャンネル洗浄ポート３２は、複数のポート３２ａ、３２ｂ、３２ｃからなる。
【００５０】
ポート３２ａは、操作部２０３に設けられた鉗子入口２０３ａにチューブユニット３０１を介して接続され、鉗子チャンネル２１６及び吸引チャンネル２１７（図４参照）に流体を供給するポートである。ポート３２ｂは、内視鏡２００の操作部２０３に設けられた、送気・送水ボタンが取り付けられる装着口２０３ｂ（図４参照）にチューブユニット３０２を介して接続され、送気・送水チャンネル２１４に流体を供給するポートである。
【００５１】
ポート３２ｃは、予備用のポートである。内視鏡の種類によっては、送気・送水チャンネル２１４や鉗子チャンネル２１６に加えて、副送水チャンネルや鉗子起上用チャンネルなどの別のチャンネルが設けられているものがあり、ポート３２ｃは、そうしたチャンネルの洗浄消毒に用いられる。
【００５２】
図４に示すように、内視鏡２００の送気・送水チャンネル２１４は、一端が挿入部２０１の先端部２０１ａに設けられた噴射ノズル２０１ｂに接続されており、他端は、挿入部２０１に連設された操作部２０３内を経由してユニバーサルコード２０２のコネクタ２０６へ延びている。送気・送水チャンネル２１４は、噴射ノズル２０１ｂの手前で送気チャンネル２１４ａと送水チャンネル２１４ｂに分岐している。送気チャンネル２１４ａ及び送水チャンネル２１４ｂは、送気・送水ボタンが装着される装着口２０３ｂを経由して、それぞれ送気コネクタ２０８、送水コネクタ２０９に延びている。
【００５３】
送気チャンネル２１４ａは、送気コネクタ２０８から送水コネクタ２０９に分岐する分岐路を有している。送気ポンプから送気チャンネル２１４ａに供給される圧縮空気は、分岐路から送水タンクに供給され、その圧力が送水チャンネル２１４ｂに送水する送水圧として利用される。洗浄消毒の際には、キャップ２１５によって送水コネクタ２０８は気密に塞がれる。キャップ２１５の内部では、送水チャンネル２１４ｂと分岐路との間は、流体の流通が可能な状態が保持される。
【００５４】
チューブユニット３０２は、ポート３２ｂと操作部２０３のそれぞれに着脱自在に取り付けられる。チューブユニット３０２の一端には、操作部２０３に取り付けるための取り付け具３０４が設けられている。取り付け具３０４は、チューブユニット３０２と装着口２０３ｂを連通させるとともに、吸引ボタンの装着口２０３ｃを気密に塞ぐ。取り付け具３０４が操作部２０３に取り付けられ、チューブユニット３０２の他端がポート３２ｂに取り付けられると、ポート３２ｂから装着口２０３ｂへ至る流体供給路が構成される。
【００５５】
ポート３２ｂから装着口２０３ｂに供給された流体は、装着口２０３ｂから、送気チャンネル２１４ａ及び送水チャンネル２１４ｂへ流入し、一方は、先端部２０１ａの噴射ノズル２０１ｂから内視鏡２００外へ流出する。他方は、送気コネクタ２０８へ及び送水コネクタ２０９へ流れる。送気チャンネル２１４ａを通って送気コネクタ２０８に流れる流体は、送気コネクタ２０８から内視鏡２００外へ流出する。送水チャンネル２１４ｂを通って送水コネクタ２０９へ流れた流体は、分岐路を経由して送気コネクタ２０８へ流れて、送気コネクタ２０８から内視鏡２００外へ流出する。これにより、送気・送水チャンネル２１４の全域を流体が通過する。
【００５６】
鉗子チャンネル２１６は、操作部２０３に設けられた鉗子入口２０３ａから、挿入部２０１の先端部２０１ａの鉗子出口２０１ｃに延びている。吸引チャンネル２１７は、鉗子出口２０１ｃから鉗子入口２０３ａに向けて分岐する分岐点までが鉗子チャンネル２１６と共用されており、分岐点から操作部２０３内の装着口２０３ｂを経由して吸引コネクタ２１０へ延びている。
【００５７】
チューブユニット３０１は、一端がポート３２ａに他端が鉗子入口２０３ａに取り付けられる。これにより、ポート３２ａから鉗子入口２０３ａへ至る流体供給路が構成される。ポート３２ａから鉗子入口２０３ａに供給された流体は、鉗子入口２０３ａから、鉗子チャンネル２１６を通って、先端部２０１ａの鉗子出口２０１ｃへ流れて、鉗子出口２０１ｃから内視鏡２００外へ流出する。
【００５８】
一方、鉗子入口２０３ａに供給された流体は、鉗子チャンネル２１６から吸引チャンネル２１７にも流入する。吸引チャンネル２１７に流入した流体は、吸引チャンネル２１７を通って、吸引コネクタ２１０へ流れて、吸引コネクタ２０９から内視鏡２００外へ流出する。これにより、鉗子チャンネル２１６及び吸引チャンネル２１７の全域を流体が通過する。
【００５９】
図３において、チューブユニット３０１、３０２は、それぞれチューブ３０３、３０４と、チューブ３０３、３０４の途中に設けられた表示ユニット３０６、３０７（第２表示手段）からなる。表示ユニット３０６、３０７は、各ポート３２ａ、３２ｂから鉗子入口２０３ａ、装着口２０３ｂへの流体の供給状態を表示する。
【００６０】
また、洗浄槽１３の前方部分の底面には、表示ユニット３０８〜３１０（第１表示手段）が設けられている。表示ユニット３０８〜３１０は、鉗子入口２０３ａ、装着口２０３ｂを上流端としたときに、送気・送水チャンネル２１４、鉗子チャンネル２１６、吸引チャンネル２１７のそれぞれの下流端から流出する流体の流出状態を表示する。表示ユニット３０８〜３１０は、下流端が配設される、内視鏡２００の端部（先端部２０１ａ、送気コネクタ２０８、吸引コネクタ２１０）と接続される。
【００６１】
表示ユニット３０８〜３１０と、先端部２０１ａ、送気コネクタ２０８、吸引コネクタ２１０の接続は、内視鏡２００が洗浄槽１３にセットされるときに行われる。表示ユニット３０８に対しては、先端部２０１ａが直接接続され、表示ユニット３０９、３１０に対しては、チューブ３１１を介して、送気コネクタ２０８、吸引コネクタ２１０が接続される。
【００６２】
表示ユニット３０６〜３１０は、ほぼ同様の構成であるので、表示ユニット３０８を例に構成を説明する。図５及び図６に示すように、表示ユニット３０８は、流体の圧力を受けて回転する羽根車３１２と、羽根車３１２を回転自在に収容する略円筒形状の本体部３１３と、本体部３１３に一体成形された２つの接続部３１４とからなる。羽根車３１２と本体部３１３は、それぞれプラスチック製であり、本体部３１３は、外部から羽根車３１２を視認できるように透明なプラスチックで形成されている。
【００６３】
羽根車３１２は、平板状の複数枚の羽根３１２ａを回転軸３１２ｂの回りに放射状に配置したものであり、回転軸３１２ｂに対して流体の流れる方向が直交する接線流式羽根車である。各接続部３１４には、本体３１３内部と連通する孔３１４ａが形成されており、一方の孔３１４ａに流入した流体が本体部３１３内を通って他方の孔３１４ａに通過することが可能である。羽根車３１２は、本体部３１３内を通過する流体から流体圧を受けて回転する。
【００６４】
一方の接続部３１４の孔３１４ａは、挿入部２０１の先端部２０１ａが挿入可能な大きさで形成された挿入口である。先端部２０１ａが挿入された状態で、先端部２０１ａの鉗子出口２０１ｃや噴射ノズル２０１ｂから流体が流出すると、その流体圧によって羽根車３１２が回転する。羽根車３１２の回転状態により、鉗子出口２０１ｃや噴射ノズル２０１ｂから流体が流出しているか否か、あるいは、流出する流量が適正な流量に比べて不足しているか否かといった流体の流出状態が表示される。
【００６５】
送気・送水チャンネル２１４及び鉗子チャンネル２１６のポート３２ｂ側を上流端とすると、表示ユニット３０８は、送気・送水チャンネル２１４及び鉗子チャンネル２１６の下流側に配置されている。そのため、ポート３２ｂ及びチューブユニット３０２がそれぞれ適切に接続されて、各チャンネル２１４、２１６に流体が供給されていること、さらに、流体が各チャンネル２１４、２１６の全域を通過していることを、羽根車３１２の回転状態を通じて確認することができる。例えば、羽根車３１２が回転していなかったり、回転速度が遅ければ、操作者は、チューブユニット３０１、３０２の接続状態が不完全であったり、各チャンネル２１４、２１６に亀裂や損傷が生じている可能性があることを認識することができる。
【００６６】
各羽根３１２ａは、交互に赤や青というように２色以上の色で色分けされている。２色以上の色を付けることで、羽根車３１２の回転状態が視認しやすい。色は目立つ色が好ましく、蛍光色を使用してもよい。
【００６７】
符号３１６は、表示ユニット３０８を洗浄槽１３の底面に着脱自在に取り付けるためのゴム製の吸盤である。表示ユニット３０８を着脱自在とすることにより、洗浄槽１３内において表示ユニット３０８の取り付け位置を簡単に変更することができる。洗浄槽１３内における内視鏡２００の向きや、挿入部２０１の巻き付け状態などによって、先端部２０１ａの位置は変わるので、それに合わせて表示ユニット３０８の取り付け位置が変更される。
【００６８】
表示ユニット３０９は、一方の接続部３１４の孔３１４ａにチューブ３１１が挿入され、チューブ３１１を介して送気コネクタ２０８と接続される。表示ユニット３１０も、一方の孔３１４ａにチューブ３１１が挿入され、チューブ３１１を介して吸引コネクタ２０９と接続される。孔３１４ａは、チューブ３１１を挿入可能な挿入口である。表示ユニット３０９、３１０は、それぞれ送気コネクタ２０８、吸引コネクタ２０９からの流体の流出状態を表示する。
【００６９】
表示ユニット３０９、３１０も表示ユニット３０８と同様に、送気・送水チャンネル２１４や吸引チャンネル２１７の下流側に配置されているので、各表示ユニット３０９、３１０の羽根車３１２の回転状態を通じて、チューブユニット３０１、３０２の接続状態や、各チャンネル２１４、２１７の亀裂や損傷の有無を確認することができる。
【００７０】
表示ユニット３０６、３０７は、各接続部３１４の孔３１４ａに、チューブ３０３、３０４が接続され、各ポート３２ａ、３２ｂから、鉗子入口２０３ａ、装着口２０３ｂへの流体の供給状態を表示する。表示ユニット３０６、３０７、３０９、３１０の各孔３１４ａは、チューブ３０３、３０４、３１１を挿入できるように、各チューブ３０３、３０４、３１１の径に応じたサイズとなっている。
【００７１】
各チャンネル２１４、２１６及び２１７の下流端側に配置される、表示ユニット３０８〜３１０に加えて、上流端側に配置される、表示ユニット３０６、３０７が設けられているため、異常の発生原因の特定がしやすい。
【００７２】
例えば、表示ユニット３０８の羽根車３１２が回転していない場合には、異常の発生原因としては、ポンプの故障か、チューブユニット３０２の接続が不完全であるか、各チャンネル２１４、２１６の亀裂や損傷があるか、の３つの原因が疑われる。このときに、表示ユニット３０７の羽根車３１２が回転していれば、ポート３２ａまでは流体が供給されているので、ポンプに異常がないことを確認することができる。そのため、異常の発生原因を、チューブユニット３０２と装着口２０３ｂの接続状態が不完全であるか、各チャンネル２１４、２１６の亀裂や損傷かのいずれかに絞ることができる。
【００７３】
また、表示ユニット３０８〜３１０は、洗浄槽１３の底面に配置されるので、洗浄槽１３の外部からは視認しにくい位置に配置される。特に、洗浄槽１３に液体が貯留されて、トップカバー１６が閉じられた状態では、非常に視認しにくい。これに対して、表示ユニット３０６、３０７は、トップカバー１６に近いテラス部１３ｃにあるポート３２ａ、３２ｂに接続されるチューブユニット３０１、３０２に設けられるので、洗浄槽１３に液体が貯留され、かつ、トップカバー１６が閉じられた状態でも外部から視認しやすい。
【００７４】
なお、本例においては、表示ユニット３０６、３０７をチューブユニット３０１、３０２に設けているが、表示ユニット３０６、３０７をポート３２ａ、３２ｂに取り付けてもよい。
【００７５】
図７に示すように、洗浄槽１３の下面には、ラバーヒータ５６が取り付けられている。ラバーヒータ５６は、洗浄槽１３を介して、洗浄槽１３内に貯えられた液体を加熱する。液体の温度は、温度センサ（ＴＥ）５７によって測定されて、測定された温度に基づいてラバーヒータ５６が制御される。洗浄液や消毒液は、温度によって洗浄効果や消毒効果が変動するため、ラバーヒータ５６によって適正な温度に調節される。
【００７６】
また、洗浄槽１３の下面には、振動板５９を介して超音波振動子５８が取り付けられている。振動板５９は、円板形状をしており、超音波振動子５８は、振動板５９の周方向に沿って複数個配列されている。超音波振動子５８は、洗浄槽１３を振動させることで、洗浄槽１３内に貯留された液体を振動させて、内視鏡２００を超音波洗浄する。超音波振動子５８によって液体が振動すると、液体に微細な泡が発生し、その泡の破裂に伴うエネルギーによって物体の表面から汚れが浮き上る。
【００７７】
洗浄消毒装置１０の配管系統は、大きく分けて、蛇口７１から水を洗浄槽１３に供給する給水経路と、洗剤、消毒液、アルコール、圧縮空気を洗浄槽１３にそれぞれ供給するための供給ポンプ（ＳＰ）７２、７３、７４、７５が配置される供給経路と、循環口３１から洗浄槽１３内の液体を吸引して洗浄槽１３に再供給するための循環ポンプ（ＣＰ）７６、７７が配置される循環経路と、廃液口２６から洗浄槽１３内の液体を排出する排出経路からなる。
【００７８】
給水経路は、蛇口７１から給水ノズル２９ａに至る経路であり、給水経路には、蛇口７１とホースで接続される給水口７８、バルブ（Ｖ）７９、水フイルタ８１、バルブ８２が給水方向に沿って順に配置されている。バルブ７９は、給水口７８と水フイルタ８１の間の経路を開閉して水の供給と停止を切り替える給水弁として機能する電磁弁である。
【００７９】
水フイルタ８１は、水道水に含まれる異物や細菌を捕捉して水道水を濾過する浄水フイルタである。医療器具である内視鏡２００の洗浄消毒装置１０では、高い浄水能力が求められるため、水フイルタ８１には、酵素などの細菌作用を持つ物質が含有されたグレードの高い浄水フイルタが用いられる。バルブ８２は、バルブ８２から給水ノズル２９ａに通じる経路を、蛇口７１に通じる給水経路と循環ポンプ７６に通じる循環経路のいずれかと選択的に接続するための三方電磁弁である。
【００８０】
供給ポンプ７２は、洗剤を貯留する洗剤タンク８３と洗剤供給ノズル２９ｃとを接続する供給経路上に配置されており、洗剤タンク８３から洗剤を吸い上げて洗剤供給ノズル２９ｃに供給する。供給ポンプ７３は、消毒液を貯留する消毒液タンク８４と消毒液供給ノズル２９ｂとを接続する供給経路上に配置されており、消毒液タンク８４から消毒液を吸い上げて消毒液供給ノズル２９ｂに供給する。
【００８１】
供給ポンプ７４は、アルコールを貯留するアルコールタンク８６を供給する供給経路上に配置されており、アルコールタンク８６からアルコールを吸い上げる。アルコールの供給経路は、供給ポンプ７４の下流側において、チャンネル洗浄ポート３２へ通じる経路と小物洗浄ノズル６１へ通じる経路の２つの経路に分岐しており、供給ポンプ７４が吸い上げたアルコールは、それぞれの経路を経て、チャンネル洗浄ポート３２と小物洗浄ノズル６１に供給される。
【００８２】
エアポンプ７５は、大気を圧縮して、圧縮空気をチャンネル洗浄ポート３２及び小物洗浄ノズル６１に供給する供給経路上に配置されている。エアポンプ７５の下流側には、大気中に雑菌を補足して大気を浄化するエアフイルタ８７が配置されている。エアフイルタ８７の下流側には、バルブ８８が配置されている。
【００８３】
バルブ８８は、バルブ８８からチャンネル洗浄ポート３２及び小物洗浄ノズル６１へ通じる経路を、エアポンプ７５に通じる大気を供給する経路と、循環ポンプ７７に通じる経路のいずれかと選択的に接続するための三方電磁弁である。チャンネル洗浄ポート３２及び小物洗浄ノズル６１のそれぞれとバルブ８２を接続する経路上には、チャンネル洗浄ポート３２、小物洗浄ノズル６１のそれぞれに通じる経路を開閉するバルブ８９、９１が配置されている。
【００８４】
循環口３１に一端が接続される循環経路は、循環ポンプ７６へ通じる経路と、循環ポンプ７７へ通じる２つの経路に分岐している。循環ポンプ７６の下流側の経路は、さらに、バルブ８２に通じる経路とバルブ９２に通じる経路に分岐している。バルブ９２は、循環ポンプ７６と天井洗浄ノズル２３とを接続する経路を開閉する電磁弁である。循環ポンプ７６によって吸引された液体は、バルブ８２及びバルブ９２を経て給水ノズル２９ａ、天井洗浄ノズル２３に供給される。循環ポンプ７７の下流側の経路は、バルブ８８に接続している。循環ポンプ７７によって吸引された液体は、バルブ８８からバルブ８９及びバルブ９１を経て、チャンネル洗浄ポート３２及び小物洗浄ノズル６１に供給される。
【００８５】
廃液口２６に一端が接続される排出経路は、切り替えバルブ９３に接続されている。切り替えバルブ９３の下流側は、排出ポンプ（ＤＰ）９４へ通じる経路と、消毒液タンク８４へ通じる経路の２つの経路に分岐している。排出ポンプ９４は、廃液口２６から排出される液体を吸引して、装置外の下水へ廃液として排出する。切り替えバルブ９３は、廃液口２６から切り替えバルブ９３の下流側への液体の排出を停止する閉じ状態と、廃液口２６から排出ポンプ９４へ通じる経路を開く状態と、廃液口２６から消毒液タンク８４へ通じる経路を開く状態の３つの状態を選択的に切り替える電磁弁である。
【００８６】
洗浄槽１３に供給された洗浄液や水は、１回使用された後、排出ポンプ９４によって吸引されて装置外へ排出される。一方、消毒液は、複数回使用することが可能であるため、消毒能力が消失するまでの間、使用後の消毒液は、廃液口２６から切り替えバルブ９３を経由して消毒液タンク８４に戻される。切り替えバルブ９３は、消毒液を消毒液タンク８４に戻すために設けられている。消毒液は激臭を放つため、洗浄液や水と同様に下水に排出することができない。消毒液タンク８４には、図示しない排出口が設けられており、所定回数使用された消毒液は、消毒液タンク８４の排出口から回収される。
【００８７】
図８〜１１のフローチャートを参照しながら洗浄消毒処理の手順を説明する。洗浄消毒処理を行う場合には、フットペダル４４が操作されて、洗浄消毒装置１０のトップカバー１６が開けられて、内視鏡２００が洗浄槽１３にセットされる。図８のフローチャートに示すように、洗浄消毒処理が開始される前に、チューブ接続確認が行われる（Ｓ（ステップ）１０）。
【００８８】
ポート３２ａ、３２ｂと、鉗子入口２０３ａ、装着口２０３ｂがチューブユニット３０１、３０２で接続される。さらに、挿入部２０１の先端部２０１ａと表示ユニット３０８を接続し、送気コネクタ２０８と表示ユニット３０９、吸引コネクタ２１０と表示ユニット３１０を、それぞれチューブ３１１を介して接続する。
【００８９】
トップカバー１６を開けた状態で、操作パネル３６からチューブ接続確認の指示が与えられると、バルブ８８によってエアポンプ７５からバルブ８９へ通じる経路が選択されて、バルブ８９が開き、エアポンプ７５が作動する。エアポンプ７５が作動すると、チャンネル洗浄ポート３２に圧縮空気が供給される。
【００９０】
異常が無い場合には、チューブユニット３０１、３０２に圧縮空気が流入して、表示ユニット３０６、３０７の羽根車３１２が回転する。チューブユニット３０１、３０２を通過した圧縮空気は各チャンネル２１４、２１６、２１７を通って、噴射ノズル２０１ｂ、鉗子出口２０１ｃ、送気コネクタ２０８、吸引コネクタ２１０からそれぞれ流出する。流出した圧縮空気は、表示ユニット３０８〜３１０の羽根車３１２を回転させる。
【００９１】
操作者は、表示ユニット３０６、３０７の羽根車３１２の回転状態を視認して、各チャンネル２１４、２１６、２１７の上流端への圧縮空気の供給状態を確認し、表示ユニット３０８〜３１０の羽根車３１２の回転状態を視認して、各チャンネル２１４、２１６、２１７からの圧縮空気の流出状態を確認する。
【００９２】
操作者は、下流側の表示ユニット３０８〜３１０によって各チャンネル２１４、２１６、２１７の流出状態を確認することで、チューブユニット３０１、３０２が適切に接続されていること、各チャンネル２１４、２１６、２１７に亀裂や損傷が発生していないことを確認することができる。また、下流側の表示ユニット３０８〜３１０が回転しない、あるいは、回転速度が遅い場合には、上流側の表示ユニット３０６、３０７の羽根車３１２の回転状態を視認することで、エアポンプ７５や各ポート３２ａ、３２ｂまでの配管に異常があるか否かを確認できるので、異常の発生原因の特定がしやすい。
【００９３】
チューブの接続状態の確認は、トップカバー１６を開けた状態で行われるので、洗浄槽１３の底面という見にくい位置に表示ユニット３０８〜３１０が配置されていても、確認が可能である。
【００９４】
チューブ接続確認が終了した後、エアポンプ７５を停止し、表示ユニット３０８〜３１０から、先端部２０１ａ、送気コネクタ２０８、吸引コネクタ２１０が取り外される。これは、先端部２０１ａ、送気コネクタ２０８、吸引コネクタ２１０と、表示ユニット３０８〜３１０の接続部３１４とが接触していると、その接触部分に洗浄液や消毒液が行き渡らないためである。
【００９５】
表示ユニット３０８〜３１０を取り外した後、フットペダル４４が操作されてトップカバー１６が閉じられる。この状態で、洗浄消毒処理が行われる。標準的な洗浄プログラムが選択された場合には、洗浄消毒装置１０は、洗浄消毒開始指示が入力されると（Ｓ２０）、洗浄工程（Ｓ３０）、すすぎ工程（Ｓ４０）、消毒工程（Ｓ５０）、すすぎ工程（Ｓ６０）、乾燥工程（Ｓ７０）を順次実行する。
【００９６】
図９のフローチャートに示すように、洗浄工程（Ｓ３０）は、超音波洗浄と、洗浄液による洗浄（以下、本洗浄という）のサブ工程に分けられる。洗浄工程（Ｓ３０）では、まず、バルブ８２が、バルブ７９と給水ノズル２９ａを接続する状態に切り替えられた状態で、バルブ７９が開かれて給水が実行される（Ｓ３１）。水位センサ２７が洗浄槽１３に適量の水が満たされたことを検知すると、バルブ７９が閉じられることにより給水が停止する。そして、超音波振動子５８が所定時間作動して超音波洗浄が行われる（Ｓ３２）。超音波洗浄が終了すると、本洗浄が開始される。
【００９７】
本洗浄では、まず、供給ポンプ７２が作動して洗剤タンク８３から洗剤供給ノズル２９ｃを通じて洗浄槽１３に洗剤が供給される（Ｓ３３）。洗浄槽１３内で水と洗剤が混合されて洗浄液が生成される。洗浄液は、ラバーヒータ５６によって加熱されて適正な温度に調節される。給水と洗剤供給が終了すると、洗浄液の循環が行われる（Ｓ３４）。
【００９８】
洗浄液の循環では、まず、切り替えバルブ９３が閉じられて、バルブ８２によって循環ポンプ７６と給水ノズル２９ａへ通じる経路が開かれるとともに、バルブ９２によって循環ポンプ７６から天井洗浄ノズル２３に通じる経路が開かれる。さらに、バルブ８９、９１によってチャンネル洗浄ポート３２及び小物洗浄ノズル６１に通じる経路が開かれる。
【００９９】
この状態で、循環ポンプ７６、７７が作動して、循環口３１から吸引された洗浄液が、給水ノズル２９ａ、天井洗浄ノズル２３、チャンネル洗浄ポート３２、小物洗浄ノズル６１を通じて洗浄槽１３に再供給される。こうした循環により洗浄槽１３内に水流が発生する。この水流によって内視鏡２００の汚れが洗い流される。
【０１００】
チャンネル洗浄ポート３２からチューブユニット３０１、３０２を介して各チャンネル２１４、２１６、２１７に洗浄液が供給される。この供給状態は、表示ユニット３０６、３０７によって確認することができる。
【０１０１】
Ｓ１０のチューブ接続確認において、チューブユニット３０１、３０２の接続状態が適切であること及び各チャンネル２１４、２１６、２１７の亀裂や損傷がないことは確認できているので、表示ユニット３０６、３０７によって洗浄液が適切に供給されていることが確認できれば、各チャンネル２１４、２１６、２１７の下流端まで流体は到達し、各チャンネル２１４、２１６、２１７の全域に洗浄液が流れていると推定できる。
【０１０２】
チャンネル洗浄ポート３２から供給される洗浄液は、内視鏡２００の各チャンネルを通って内部の汚れを洗い流し、挿入部２０１の先端部２０１ａのノズル、鉗子出口２０１ｃ等から洗浄槽１３に放出される。小物洗浄ノズル６１は小物洗浄かご２２内の小物部品に向けて洗浄液を噴射して小物部品の汚れを洗い流す。天井洗浄ノズル２３は天井に向けて洗浄液を噴射して、天井の汚れを洗い流す。洗浄液の循環が終了すると、排出ポンプ９４によって使用済みの洗浄液が排出される（Ｓ３５）。
【０１０３】
洗浄工程が終了すると、内視鏡２００の外表面や各チャンネルに付着した洗浄液を洗い流すすすぎ工程（Ｓ４０）が行われる。図１０のフローチャートに示すように、すすぎ工程は、給水（Ｓ４１）、循環（Ｓ４２）、排水（Ｓ４３）のサブ工程からなる。バルブ７９が開かれると給水口７８から給水が行われ、洗浄槽１３に水が貯留される。給水終了後、洗浄工程と同様に、循環ポンプ７６、７７が作動して水の循環が所定時間行われる。すすぎ工程においても、表示ユニット３０６、３０７により水が各チャンネル２１４、２１６、２１７に適切に供給されていることを確認することができる。
【０１０４】
図８において、消毒工程（Ｓ５０）では、供給ポンプ７３が作動して消毒液タンク８４から消毒液供給ノズル２９ｂを通じて洗浄槽１３に消毒液が供給される。消毒液は、ラバーヒータ５６によって加熱されて適正な温度に調節される。そして、洗浄工程の循環と同様に、循環ポンプ７６、７７が作動して消毒液の循環が所定時間行われる。消毒工程においても、表示ユニット３０６、３０７により消毒液が各チャンネル２１４、２１６、２１７に適切に供給されていることを確認することができる。循環が終了すると、切り替えバルブ９３によって消毒液タンク８４に通じる経路が選択されて、消毒液が廃液口２６から消毒液タンク８４に戻される。
【０１０５】
消毒工程が終了すると、内視鏡２００の外表面や各チャンネルに付着した消毒液を洗い流すすすぎ工程（Ｓ６０）が行われる。図１１のフローチャートに示すように、すすぎ工程（Ｓ６０）は、すすぎ工程（Ｓ４０）と同様の処理が行われるが、消毒液を十分に洗い流すためにすすぎ工程（Ｓ４０）が規定回数（Ｎ回）連続して繰り返される。
【０１０６】
洗浄消毒装置１０は、すすぎ工程（Ｓ６０）を実行する際に、すすぎ工程（Ｓ４０）の回数をカウントするカウンタを「０」にリセットする（Ｓ６１）。そして、Ｓ６２において、カウンタをインクリメントして、カウント値を「１」にする。この後、すすぎ工程（Ｓ４０）を実行する（Ｓ６３）。Ｓ６３が終了すると、カウンタ値と規定回数Ｎを比較し（Ｓ６４）、カウンタ値が規定回数Ｎに達していない場合には（Ｓ６４でＮ）、Ｓ６１に戻り、すすぎ工程（Ｓ４０）を繰り返す。こうした処理が、カウンタ値が規定回数Ｎに到達するまで繰り返される。カウンタ値が規定回数Ｎに達した場合はすすぎ工程（Ｓ６０）を終了する。
【０１０７】
図８において、乾燥工程（Ｓ７０）では、バルブ８９、９２を開いてチャンネル洗浄ポート３２、小物洗浄ノズル６１へ通じる経路が開かれる。供給ポンプ７４が作動して、アルコールタンク８６からアルコールが吸引されて、吸引されたアルコールがチャンネル洗浄ポート３２及び小物洗浄ノズル６１を通じて、内視鏡２００の各チャンネル及び小物部品に吹き付けられる。
【０１０８】
この後、バルブ８８によってエアポンプ７５からバルブ８９、９１へ通じる経路が選択されて、エアポンプ７５が作動する。エアポンプ７５が作動すると、チャンネル洗浄ポート３２及び小物洗浄ノズル６１から、各チャンネル及び小物部品に圧縮空気が吹き付けられて、アルコールとともに各チャンネル内及び小物部品の外表面に付着した水滴がアルコールとともに吹き飛ばされる。また、アルコールは揮発性が高いため、アルコールの気化熱によって表面に付着した水分を蒸発させる。こうして内視鏡２００の各チャンネル及び小物部品が乾燥される。
【０１０９】
乾燥工程においても、表示ユニット３０６、３０７によりアルコールや圧縮空気が各チャンネル２１４、２１６、２１７に適切に供給されていることを確認することができる。
【０１１０】
以上説明したとおり、表示ユニット３０８〜３１０が設けられていることにより、各チャンネル２１４、２１６、２１７の下流端からの流出状態を確認できるので、チューブユニット３０１、３０２が適切に接続されていること、各チャンネル２１４、２１６、２１７に亀裂や損傷が無いことを確認することができる。さらに、表示ユニット３０６、３０７が設けられていることにより、異常の発生原因の特定もしやすい。また、表示ユニット３０６、３０７が設けられているので、洗浄消毒の処理中においても、各チャンネル２１４、２１６、２１７への供給状態を確認することができる。
【０１１１】
また、表示ユニット３０８〜３１０は、洗浄槽１３に設けられているので、紛失のおそれも少ない。また、内視鏡２００と一緒に洗浄消毒が可能であるので、取り扱いが簡便である。
【０１１２】
上記実施形態では、表示ユニット３０８〜３１０を洗浄槽１３の底面に配置した例で説明したが、トップカバー１６を閉じた状態でも、表示ユニット３０８〜３１０の羽根車３１２の回転状態を視認できるように、洗浄槽１３の側面など、トップカバー１６により近い位置に配置してもよい。また、先端部２０１ａ、送気コネクタ２０８、吸引コネクタ２１０のそれぞれに表示ユニット３０８〜３１０を設けた例で説明したが、表示ユニット３０８〜３１０のうち少なくとも１つあればよい。例えば、表示ユニット３０８だけを設けても、送気・送水チャンネル２１４の一方の下流端と鉗子チャンネル２１６の下流端の２つの下流端からの流体の流出状態を確認することができる。これにより、送気・送水チャンネル２１４の装着口２０３ｂと噴射ノズル２０１ｂまでの間と、鉗子チャンネル２１６の鉗子入口２０３ａと鉗子出口２０３ｃの間については、流体が通過していることを確認することができる。
【０１１３】
上記実施形態では、表示ユニット３０６〜３１０の羽根車３１２として、回転軸３１２ｂに対して流体の流れる方向が直交する接線流式羽根車を例に説明したが、図１２に示す羽根車３２０のように、回転軸３２０ａの方向と流体の流れる方向が平行な軸流式羽根車でもよい。接線流式羽根車と比較すると、軸流式羽根車は、圧力損失が大きいので、各チャンネル２１４、２１６、２１７の上流側に配置する表示ユニットには、圧力損失が少ない接線流式羽根車が好ましい。
【０１１４】
また、羽根車に限らず、図１３に示す表示ユニット３２１のように、流体の圧力によってなびく複数の条体３２２ａを有する吹き流し形態の変位体３２２でもよい。変位体３２２は、一端が自由端となるように、ケース３２３に他端が固定される。条体３２２ａの形状は、ひも状あるいは短冊状である。このような吹き流し形態であれば、羽根車を回転させる場合と比べて、流体の圧力損失を軽減することができる。また、視認性を向上させるために、条体３２２ａを２色以上で色分けするのが好ましい。羽根車と同様に、色は目立つ色が好ましく、蛍光体でもよい。
【０１１５】
なお、上記例では、流体の圧力を受けて変位する変位体を有する表示ユニットを例に説明したが、これに限らず、流体の流量を検知する流量センサと、その検知結果を表示するインジケータ（ランプなど）とで表示ユニットを構成してもよい。もちろん、流体圧によって変位する変位体で構成すれば、表示ユニットの構成を簡素化することができるというメリットが得られる。
【０１１６】
また、各チャンネル２１４、２１６、２１７の下流端側の表示ユニットを、変位体を有する表示ユニットで構成し、上流端側の表示ユニットを流量センサとインジケータからなる表示ユニットで構成したり、上流端に羽根車の表示ユニットを使用し、下流端に吹き流し形態の変位体の表示ユニットを使用するというように、異なる表示ユニットの形態が混在していてもよい。
【０１１７】
上記実施形態では、洗浄消毒の開始前に、表示ユニット３０８〜３０９を接続した状態で、エアポンプからの送気を行うことにより、チューブの接続確認を行う例で説明したが、洗浄槽１３に給水後、循環ポンプを作動させてチャンネル洗浄ポート３２から各チャンネル２１４、２１６、２１７に送水を行ってチューブの接続確認を行ってもよい。送気と送水によるチューブの接続確認は、どちらか一方でもよいし両方でもよい。
【０１１８】
上記実施形態では、各チャンネル２１４、２１６、２１７の上流側と下流側の両方に表示ユニットを設けた例で説明したが、下流側のみでもよい。
【０１１９】
上記実施形態では、医療用の内視鏡を洗浄消毒する洗浄消毒装置を例に説明したが、本発明は、工業用の内視鏡を洗浄消毒する洗浄消毒装置に適用してもよい。また、本発明は、上記実施形態に限定されるものではなく、発明の要旨を逸脱しない範囲で種々変形して実施することが可能である。
【符号の説明】
【０１２０】
１０  洗浄消毒装置
１２  内視鏡
１３  洗浄槽
２００  内視鏡
２１４  送気・送水チャンネル（管路）
２１６  鉗子チャンネル（管路）
２１７  吸引チャンネル（管路）
３０１、３０２  チューブユニット
３０６、３０７  表示ユニット（第２表示ユニット）
３０８〜３１０、３２１  表示ユニット（第１表示ユニット）
３１２、３２０  羽根車（変位体）
３１２ａ  羽根
３１２ｂ  回転軸
３１４  接続部
３１４ａ  孔
３２０  羽根車（変位体）
３２２  変位体
【図１】
2011206158.tif 000003
【図２】
2011206158.tif 000004
【図３】
2011206158.tif 000005
【図４】
2011206158.tif 000006
【図５】
2011206158.tif 000007
【図６】
2011206158.tif 000008
【図７】
2011206158.tif 000009
【図８】
2011206158.tif 000010
【図９】
2011206158.tif 000011
【図１０】
2011206158.tif 000012
【図１１】
2011206158.tif 000013
【図１２】
2011206158.tif 000014
【図１３】
2011206158.tif 000015